(57)【要約】【課題】限られた分電盤内のスペースに配置可能なコンセントモジュールを提供する。【解決手段】既存の分電盤１００における分岐線１０１に直接接続して分岐線１０１から電源を取得可能な接続端子２１を備えるとともに、分電盤１００に着脱自在で外寸が規格化された電気モジュール１０，２０であって、接続端子２１と電気的に接続されプラグを挿抜可能なコンセント部２２を前面に備え、接続端子２１は、工具を使用せずに分岐線１０１と接続可能なプラグイン端子２１とした。【選択図】図３
2015107007.tif 000002
【特許請求の範囲】
【請求項１】
既存の分電盤における分岐線に直接接続して前記分岐線から電源を取得可能な接続端子を備えるとともに、前記分電盤に着脱自在で外寸が規格化された電気モジュールであって、
前記接続端子と電気的に接続されプラグを挿抜可能なコンセント部を前面に備えることを特徴とするコンセントモジュール。
【請求項２】
前記外寸のうち幅が前記規格の二単位分で、
前記コンセント部の差込穴を前記幅方向に間隔を開けて配置したことを特徴とする請求項１に記載のコンセントモジュール。
【請求項３】
前記外寸が前記規格の一単位分で、
前記コンセント部の差込穴を幅方向とは直角に間隔を開けて配置したことを特徴とする請求項１に記載のコンセントモジュール。
【請求項４】
前記接続端子は、工具を使用せずに前記分岐線と接続可能なプラグイン端子であることを特徴とする請求項１乃至３のうちいずれか一つに記載のコンセントモジュール。
【請求項５】
ブレーカをさらに備えることを特徴とする請求項１乃至４のうちいずれか一つに記載のコンセントモジュール。
【発明の詳細な説明】
【技術分野】
【０００１】
本発明は、分電盤内に配置されるコンセントに関するものである。
【背景技術】
【０００２】
家電機器の電源はコンセントから取得されるが、過電流等によって分岐ブレーカが作動してそのコンセントを介した給電が遮断された場合には、どの分岐ブレーカを復帰させると所望のコンセントへ再び給電されるのかがわかり難い場合がある。
【０００３】
そこで、コンセントとブレーカをボックス内に一体的に設けたブレーカ付きコンセントが開示されている（例えば、特許文献１参照）。
【０００４】
このブレーカ付きコンセントでは、同じボックス内でコンセントの横に分岐ブレーカがあり、どのコンセントにどの分岐ブレーカが対応しているのかが一目瞭然となっている。
このように、コンセントと分岐ブレーカの一対一の関係が非常にわかり易いので、分岐ブレーカの復帰作業が非常に容易である。
【０００５】
一方、作業内容によっては分電盤から直接電源を取得したい場合もあり、分電盤内に配置される分電盤用コンセントが開示されている（例えば、特許文献２参照）。
【先行技術文献】
【特許文献】
【０００６】
【特許文献１】特開平７−１３５７１４号公報
【特許文献２】特開２０００−２０８１７６号公報
【０００７】
この分電盤用コンセントは、分電盤内において複数の分岐ブレーカから離間して配置され、分岐ブレーカと分電盤用コンセントとの間には電線が敷設されている。そして、分電盤用コンセントは電線を介して分岐ブレーカから電源を取得される。
また、分岐ブレーカと同じ規格の外寸で、分岐ブレーカと同様の取付部を設けているので、分電盤用コンセント自体の分電盤内への取付けは容易である。
【発明の概要】
【発明が解決しようとする課題】
【０００８】
しかしながら、電線が敷設されたスペースには主ブレーカや分岐ブレーカ等の他の部品を配置できないので、限られた分電盤内のスペースにおいて、他の部品とコンセントの電線が場所の取り合いになってしまう。
したがって、分電盤内に配置すべき部品の種類及び数を満たすように、分電盤用コンセントには省スペース化が求められる。
【０００９】
そこで、本発明の目的とするところは、限られた分電盤内のスペースに配置可能なコンセントモジュールを提供することにある。
【課題を解決するための手段】
【００１０】
上記の目的を達成するために、本発明の請求項１に記載のコンセントモジュール（２０）は、既存の分電盤（１００）における分岐線（１０１）に直接接続して前記分岐線（１０１）から電源を取得可能な接続端子（２１）を備えるとともに、前記分電盤（１００）に着脱自在で外寸が規格化された電気モジュール（１０，２０）であって、前記接続端子（２１）と電気的に接続されプラグを挿抜可能なコンセント部（２２）を前面に備えることを特徴とする。
この分岐線とは、分電盤において電気モジュールが直接接続されてその電気モジュールが電源を取得可能な端子のことを意味する。つまり、電気モジュールが母線と直接接続される場合には、その母線もここでいう分岐線に含まれる。
【００１１】
また、請求項２に記載のコンセントモジュール（２０）は、前記外寸のうち幅が前記規格の二単位分で、前記コンセント部（２２）の差込穴（２２ａ）を前記幅方向に間隔を開けて配置したことを特徴とする。
【００１２】
また、請求項３に記載のコンセントモジュール（２０）は、前記外寸が前記規格の一単位分で、前記コンセント部（２２）の差込穴（２２ａ）を幅方向とは直角に間隔を開けて配置したことを特徴とする。
【００１３】
また、請求項４に記載のコンセントモジュール（２０）は、前記接続端子（２１）は、工具を使用せずに前記分岐線（１０１）と接続可能なプラグイン端子（２１）であることを特徴とする。
【００１４】
また、請求項５に記載のコンセントモジュール（２０）は、ブレーカ（２３）をさらに備えることを特徴とする。
【００１５】
ここで、上記括弧内の記号は、図面および後述する発明を実施するための形態に掲載された対応要素または対応事項を示す。
【発明の効果】
【００１６】
本発明の請求項１に記載のコンセントモジュールによれば、既存の分電盤における分岐線に直接接続して分岐線から電源を取得可能な接続端子を備えるとともに、外寸が規格化され、コンセント部を前面に備えるので、その規格を採用している分岐ブレーカ等を配置するスペースにコンセントモジュールを配置可能である。
これにより、従来のように分岐ブレーカからコンセントモジュールまで電線を敷設する必要がないので、限られた分電盤内のスペースにおいてその電線の敷設スペースの分だけ省スペース化となる。
【００１７】
また、このコンセントモジュールがブレーカを備えていない場合には、他のブレーカが作動して給電が遮断されても、このコンセントモジュールから電源を取得できる。
また、このコンセントモジュールは分電盤に着脱自在であるので、外寸が規格化された電気モジュールを配置可能な既存の分電盤に対して、後付け可能である。
【００１８】
また、請求項２に記載のコンセントモジュールによれば、請求項１に記載の発明の作用効果に加え、コンセント部の差込穴を幅方向に間隔を開けて配置したので、住宅等の壁に埋設した通常のコンセントと差込穴の向きが同じで、使用し易い。
【００１９】
また、請求項３に記載のコンセントモジュールによれば、請求項１に記載の発明の作用効果に加え、外寸が規格の一単位分であるので、さらに省スペースである。
【００２０】
また、請求項４に記載のコンセントモジュールによれば、請求項１乃至３に記載の発明の作用効果に加え、接続端子は、工具を使用せずに分岐線と接続可能なプラグイン端子であるので、分電盤にコンセントモジュールをワンタッチで着脱可能である。
【００２１】
また、請求項５に記載のコンセントモジュールによれば、請求項１乃至４に記載の発明の作用効果に加え、ブレーカをさらに備えるので、そのコンセントモジュールに過電流が流れた場合には回路が遮断され、安全である。
【００２２】
なお、本発明のコンセントモジュールのように、分岐線に直接接続可能な接続端子を備え、外寸が規格化された点は、上述した特許文献１又は２には全く記載されていない。
【図面の簡単な説明】
【００２３】
【図１】図３におけるコンセントモジュールを取り付ける前の分電盤を示す斜視図である。
【図２】分岐ブレーカを示す拡大斜視図である。
【図３】本発明の第一実施形態に係るコンセントモジュールを示す拡大斜視図である。
【図４】図３におけるコンセントモジュールを取り付けた後の分電盤を示す斜視図である。
【図５】本発明の第二実施形態に係るコンセントモジュールを示す拡大斜視図である。
【図６】本発明の第三実施形態に係るコンセントモジュールを示す拡大斜視図である。
【発明を実施するための形態】
【００２４】
（第一実施形態）
図１乃至図４を参照して、本発明の第一実施形態に係るコンセントモジュール２０を説明する。
まず、本実施形態に係るコンセントモジュール２０が取付けられる分電盤１００について図１を参照して説明する。
この分電盤１００は、本実施形態に係るコンセントモジュール２０を配置するために特別に専用品として開発されたものではなく、既に一般住宅等に施工されている既存の分電盤１００であり、本実施形態に係るコンセントモジュール２０の方を既存の分電盤１００に合わせて開発した。
【００２５】
分電盤１００は、電路の引込口装置であり、キャビネット内部には主に電気モジュールとして主ブレーカ１や、分岐ブレーカ１０を備える。
そして、主として電力会社から供給される電気を、主ブレーカ１を介して各分岐回路に供給するとともに、過電流等の場合には主ブレーカ１又は分岐ブレーカ１０が回路を遮断して配線を電気事故から保護する。
主ブレーカ１の二次側には銅バー等を介して母線が接続され、母線と分岐ブレーカ１０の一次側は分岐線１０１を介して直接接続される。
【００２６】
図１の分電盤１００では、母線の片側に横一列に分岐線１０１が四組、所定間隔を開けて設けられており、自社内で規格化された分岐ブレーカ１０等の電気モジュール１０，２０を最大四つまで接続可能となっている。つまり、外寸（特に幅）及び電源取得方法が規格化された分岐ブレーカ１０等を四つまで配置可能であり、隣り合う分岐線１０１の間隔はその規格の一単位の幅に等しい。
図１においては、規格化された電気モジュール１０，２０として分岐ブレーカ１０が二つ配置されており、残りの規格二単位分は電気モジュール１０，２０が配置されていない状態である。
なお、本実施形態で幅方向とは分電盤１００内に電気モジュール１０，２０を並べる方向（図１における左右方向）をいう。
【００２７】
分電盤１００に取付けられている分岐ブレーカ１０を拡大すると図２の通りであり、この分岐ブレーカ１０は、プラグイン端子１１と、操作ハンドル１３を備える。
プラグイン端子１１は、幅方向に延びる溝部１４内に設けられ、分岐線１０１から電源を取得可能である。よって、分岐ブレーカ１０（プラグイン端子１１）は、工具を使用せずにワンタッチで分岐線１０１と接続可能となっている。
また、分岐ブレーカ１０内部には主に遮断回路を備えており、過電流等の異常が発生すると回路を遮断して絶縁するとともに操作ハンドル１３が倒れ回路を遮断していることを外部から視認し得る。
また、分岐ブレーカ１０にはプラグイン端子１１以外に取付部があり、少なくとも取付部とプラグイン端子１１とで支持させることで、分岐ブレーカ１０が分電盤１００に安定して取付けられている。
【００２８】
一方、本実施形態に係るコンセントモジュール２０は、図３に示すように家電機器のプラグを挿抜可能なコンセント部２２を前面に備え、分電盤１００に着脱自在である。
そのコンセント部２２はプラグイン端子２１と電気的に接続されている。
コンセントモジュール２０のプラグイン端子２１も分岐ブレーカ１０と同様に、幅方向に設けられた溝部２４に配置され、プラグイン端子２１は既存の分電盤１００における分岐線１０１に直接接続されるものであり、分岐線１０１から電源を取得可能である。図２と図３を比較すると、それぞれのプラグイン端子１１，２１は同じ形状で、左側端面からの位置も同じであることがわかる。つまり、分岐ブレーカ１０を取付け可能な箇所にこのコンセントモジュール２０を取付け可能で、しかも分岐ブレーカ１０と同様に電源も取得可能である。
ここで、プラグイン端子２１が分岐線１０１と直接接続されるとは、このコンセントモジュール２０が分電盤１００に取付けられたとき、分岐線１０１とプラグイン端子２１が電気的に接続されているというだけでなく、分岐線１０１に対してプラグイン端子２１が嵌合して、電線を介することなく両者が物理的に直接接するということである。
【００２９】
また、コンセントモジュール２０の幅は、規格化された分岐ブレーカ１０の幅の二単位分である。他方、コンセントモジュール２０の縦幅は分岐ブレーカ１０より狭くなっている。
ここで、分電盤１００の幅方向に並んだ二組の分岐線１０１のうち左側の一組に接続可能なように、コンセントモジュール２０の溝部２４内にプラグイン端子２１が配置されており、コンセントモジュール２０のプラグイン端子２１と接続しない右側の一組の分岐線１０１はコンセントモジュール２０の他の部分と干渉しないように溝部２４において逃がすようにしている。
【００３０】
コンセント部２２の差込穴２２ａは、幅方向に間隔を開けて配置されている。つまり、通常の住宅の壁に埋め込まれているコンセントの差込穴２２ａと並びが同じであり、家電機器のプラグは横に向けて使用される。
【００３１】
このように、本実施形態に係るコンセントモジュール２０は、分岐線１０１と電気的に接続するための電線が不要で、それ単品で分岐線１０１に接続可能なようにモジュール化されている。
そして、図４に示すように本実施形態に係るコンセントモジュール２０は、分岐ブレーカ１０に並設される。
すなわち、遮断回路が必要な場合には電気モジュールとして分岐ブレーカ１０を、家電機器のプラグを差すコンセントが必要な場合には本実施形態に係るコンセントモジュール２０を、分電盤１００にワンタッチで取付けて使用することができる。
また、分岐ブレーカ１０が不要となった場合、その隣り合う分岐ブレーカ１０を取り除き、コンセントモジュール２０に置換することもできる。
【００３２】
以上のように構成されたコンセントモジュール２０によれば、既存の分電盤１００における分岐線１０１に直接接続して分岐線１０１から電源を取得可能な接続端子２１を備えるとともに、外寸が規格化され、コンセント部２２を前面に備えるので、その規格を採用している分岐ブレーカ１０等を配置するスペースにコンセントモジュール２０を配置可能である。
これにより、従来のように分岐ブレーカ１０からコンセントモジュール２０まで電線を敷設する必要がないので、限られた分電盤１００内のスペースにおいてその電線の敷設スペースの分だけ省スペース化となる。
【００３３】
また、このコンセントモジュール２０はブレーカを備えていないので、他の分岐ブレーカ１０が作動して給電が遮断されても、このコンセントモジュール２０から電源を取得できる。
また、このコンセントモジュール２０は分電盤１００に着脱自在であるので、外寸が規格化された電気モジュールを配置可能な既存の分電盤１００に対して、後付け可能である。
【００３４】
また、コンセント部２２の差込穴２２ａを幅方向に間隔を開けて配置したので、住宅等の壁に埋設した通常のコンセントと差込穴２２ａの向きが同じで、使用し易い。
また、接続端子２１は、工具を使用せずに分岐線１０１と接続可能なプラグイン端子２１であるので、分電盤１００にコンセントモジュール２０をワンタッチで着脱可能である。
【００３５】
（第二実施形態）
次に図５を参照して、本発明の第二実施形態に係るコンセントモジュール２０を説明する。なお、第一実施形態と同一部分には同一符号を付した。
本実施形態の第一実施形態との違いは、ブレーカ２３を備えることであり、その他の構成要素に関しては第一実施形態と同一である。
【００３６】
ブレーカ２３は主に操作ハンドル２３ａと遮断回路からなり、過電流等の異常時において、コンセント部２２とプラグイン端子２１との間を遮断する。
すなわち、第一実施形態においてはコンセントモジュール２０が分岐ブレーカ１０と隣り合っているがコンセントモジュール２０と分岐ブレーカ１０は別回路であるので異常時において対応できなかったが、本実施形態ではコンセントモジュール２０に分岐ブレーカ１０とは別のブレーカ２３を設けた。
このコンセントモジュール２０によれば、そのコンセントモジュール２０に過電流が流れた場合等には回路が遮断され、安全である。
【００３７】
（第三実施形態）
次に、図６を参照して、本発明の第三実施形態に係るコンセントモジュール２０を説明する。第二実施形態と同一部分には同一符号を付した。
本実施形態と第二実施形態との違いは、コンセントモジュール２０の幅とコンセント部２２の向きである。
【００３８】
すなわち、本実施形態に係るコンセントモジュール２０は、規格化された分岐ブレーカ１０と同じ外寸であり、幅がこの規格の一単位分である。
よって、例えば分岐ブレーカ１０を配置可能なスペースが四単位分ある分電盤１００において、既に三単位分に分岐ブレーカ１０を配置している場合、第一実施形態又は第二実施形態に係る二単位分の幅のコンセントモジュール２０を配置することは不可能であるが、本実施形態に係る一単位分の幅のコンセントモジュール２０であれば配置可能である。
【００３９】
また、コンセント部２２の差込穴２２ａを幅方向とは直角に、縦に間隔を開けて配置することで、一単位分の幅であってもコンセント部２２をコンセントモジュール２０上面に配置可能とした。
このように、本実施形態のコンセントモジュール２０は外寸が規格の一単位分であるので、さらに省スペースである。
【００４０】
なお、第一乃至第三実施形態において、分電盤１００の分岐線１０１から電源を取得するためにワンタッチ取付け式のプラグイン端子２１を設けたが、これに限られるものではなく、例えば分電盤１００にコンセントモジュール２０を取付けるためにネジ止めが必要な他の形式の接続端子２１であってもよい。
【００４１】
また、コンセントモジュール２０の幅が一単位分で、かつブレーカが付いていなくてもよい。
また、図５の操作ハンドル２３の位置にコンセント部２２をもう一つ設けてもよい。
【００４２】
また、電気モジュール１０，２０を四つ配置可能な分電盤１００としたが、この数はこれに限られるものではない。
【００４３】
また、分電盤１００や電気モジュール１０，２０の規格としては、出願人自社内の規格に限られず、ＪＩＳ規格、業界規格、又は他社規格であってもよい。つまり、電気モジュール１０，２０に関して何らかの規格が存在するときに、その規格の分岐ブレーカ１０の外寸（幅）の整数倍で、かつ電源取得方法がその規格の分岐ブレーカ１０と同様とすることで一つ以上の分岐ブレーカ１０と置換可能としたコンセントモジュール２０は全て、本発明に係る発明の範囲内に含まれる。
【００４４】
さらには、分電盤１００として、母線の片側に電気モジュール１０，２０が並設される、いわゆる横一列型の分電盤１００を示したが、これに限られるものではなく、母線の長手方向両側に電気モジュール１０，２０が並設される、いわゆる横二列型の分電盤１００であってもよい。
【符号の説明】
【００４５】
１      主ブレーカ
１０      分岐ブレーカ（電気モジュール）
１１      プラグイン端子
１３      操作ハンドル
１４      溝部
２０      コンセントモジュール（電気モジュール）
２１      プラグイン端子
２２      コンセント部
２２ａ    差込穴
２３      ブレーカ
２３ａ    操作ハンドル
２４      溝部
１００      分電盤
１０１      分岐線
【図１】
2015107007.tif 000003
【図２】
2015107007.tif 000004
【図３】
2015107007.tif 000005
【図４】
2015107007.tif 000006
【図５】
2015107007.tif 000007
【図６】
2015107007.tif 000008